(57)【特許請求の範囲】
【請求項１】
貯水容器から自動製氷機の製氷皿への給水が開閉弁機構の作動によって自然流下式で行われ、冷蔵室へ前記貯水容器が収納されたことをスイッチが検出した状態において、制御回路部の動作によって、第１回目の自動給水が行なわれた後、第２回目の自動給水時間は、第１回目の自動給水によって減少する前記貯水容器内の貯水量の減少量に応じた補正時間Ｔ２を第１回目の自動給水時間（Ｔ時間）に加えた給水時間（Ｔ＋Ｔ２時間）とし、第３回目以降の自動給水時間も同様に、前回の自動給水によって減少する前記貯水容器内の貯水量の減少量に応じた補正時間を加えた給水時間となるように、順次給水回数に応じて給水時間を長くして、各給水モードにおける給水量を略一定化させるように前記製氷皿への給水制御を行うことを特徴とする自動製氷機。
【請求項２】
冷蔵室内に収納した貯水容器から自動製氷機の製氷皿への給水が開閉弁機構の作動によって自然流下式で行われ、冷却器で冷却した冷気が送風機によって前記製氷皿へ循環される自動製氷機付き冷凍冷蔵庫において、前記貯水容器が冷蔵室から引き出されてスイッチがＯＦＦしてから、再び前記貯水容器が前記冷蔵室へ収納されて前記スイッチがＯＮするまでの時間を制御回路部によってカウントし、このカウントが所定時間以上または所定時間を超えた場合は、前記貯水容器内が規定水量で満杯であるとして、前記第１回目の自動給水によって前記製氷皿への給水制御が行われ、順次第２回目以降の自動給水が行なわれることを特徴とする請求項１に記載の自動製氷機付き冷凍冷蔵庫。
【請求項３】
冷蔵室内に収納した貯水容器から自動製氷機の製氷皿への給水が開閉弁機構の作動によって自然流下式で行われ、冷却器で冷却した冷気が送風機によって前記製氷皿へ循環される自動製氷機付き冷凍冷蔵庫において、前記貯水容器が前記冷蔵室に対して引き出されることによりＯＦＦして前記自動製氷機が動作を停止し収納にてＯＮして前記自動製氷機が作動するスイッチを設け、前記貯水容器が前記冷蔵室から引き出されて前記スイッチがＯＦＦしてから、再び前記貯水容器が前記冷蔵室へ収納されて前記スイッチがＯＮするまでの時間を制御回路部によってカウントし、このカウントが所定時間以上または所定時間を超えた場合は前記制御回路部によって前記第１回目の（スタート時の）自動給水から行ない、前記カウントが所定時間以内または所定時間を超えない場合は前記制御回路部によって前記自動製氷機が停止した時点の脱氷動作を終了して次回の給水回数から継続して自動給水する制御を行うことを特徴とする請求項１に記載の自動製氷機付き冷凍冷蔵庫。
【発明の詳細な説明】
【技術分野】
【０００１】
本発明は、冷蔵庫内に設置した貯水容器から自動製氷機の製氷皿へ製氷用水を供給する自動製氷機並びに自動製氷機付き冷蔵庫に関する。
【背景技術】
【０００２】
冷蔵庫本体内に冷蔵室が上部に位置するように冷凍室と冷蔵室が仕切り壁にて区画され、前記冷蔵室に配設された給水タンクの製氷用水が前記仕切り壁を貫通した給水管を通して前記冷凍室に配設された自動製氷機の製氷容器へ供給される自動製氷機付き冷蔵庫がある（例えば、特許文献１参照）。
【０００３】
特許文献１のものは、給水タンクの製氷用水の供給をポンプによらずに、自然落下方式による製氷用水の供給方式とするために、給水タンクの底部に計量カップとその中に止水栓を設け、給水タンクの下方には水受け容器を配置し、電磁弁によって止水栓を開くことによって計量カップ内の一定量の水を水受け容器に流下させ、電磁弁の作動によってこの水受け容器底部の放水口を開いて、水受け容器内の水を給水管を通して自動製氷機の製氷容器へ供給するものである。
【特許文献１】特開平８−３５７５２号公報
【発明の開示】
【発明が解決しようとする課題】
【０００４】
このように特許文献１の発明は、給水タンクの底部に計量カップとその中に止水栓を設け、給水タンクの下方には水受け容器が設けられたものであるため、構成が複雑であると共に、組立てが面倒であり、給水タンク、計量カップ、止水栓及び水受け容器を取外して洗浄することは、極めて面倒であることが予想される。本発明は、このような点に鑑み、給水タンクの製氷用水の供給をポンプによらずに、自然落下方式による供給方式とする場合、このような複雑な構成とすることなく、各給水モードにおける製氷用水の供給量を一定化して、自動製氷機で作られる氷の大きさを略一定化することができる給水装置を提供するものである。また、貯水容器９に計量タンク部を備えない構成によって、製氷用水を溜める部分の洗浄をし易くする効果を合わせ持つものとする。
【課題を解決するための手段】
【０００５】
第１の発明は、貯水容器から自動製氷機の製氷皿への給水が開閉弁機構の作動によって自然流下式で行われ、冷蔵室へ前記貯水容器が収納されたことをスイッチが検出した状態において、制御回路部の動作によって、第１回目の自動給水が行なわれた後、第２回目の自動給水時間は、第１回目の自動給水によって減少する前記貯水容器内の貯水量の減少量に応じた補正時間Ｔ２を第１回目の自動給水時間（Ｔ時間）に加えた給水時間（Ｔ＋Ｔ２時間）とし、第３回目以降の自動給水時間も同様に、前回の自動給水によって減少する前記貯水容器内の貯水量の減少量に応じた補正時間を加えた給水時間となるように、順次給水回数に応じて給水時間を長くして、各給水モードにおける給水量を略一定化させるように前記製氷皿への給水制御を行うことを特徴とする。
【０００７】
第２の発明は、冷蔵室内に収納した貯水容器から自動製氷機の製氷皿への給水が開閉弁機構の作動によって自然流下式で行われ、冷却器で冷却した冷気が送風機によって前記製氷皿へ循環される自動製氷機付き冷凍冷蔵庫において、前記貯水容器が冷蔵室から引き出されてスイッチがＯＦＦしてから、再び前記貯水容器が前記冷蔵室へ収納されて前記スイッチがＯＮするまでの時間を制御回路部によってカウントし、このカウントが所定時間以上または所定時間を超えた場合は、前記貯水容器内が規定水量で満杯であるとして、前記第１回目の自動給水によって前記製氷皿への給水制御が行われ、順次第２回目以降の自動給水が行なわれることを特徴とする第１の発明の自動製氷機を備えた冷凍冷蔵庫である。
【０００８】
第３の発明は、冷蔵室内に収納した貯水容器から自動製氷機の製氷皿への給水が開閉弁機構の作動によって自然流下式で行われ、冷却器で冷却した冷気が送風機によって前記製氷皿へ循環される自動製氷機付き冷凍冷蔵庫において、前記貯水容器が前記冷蔵室に対して引き出されることによりＯＦＦして前記自動製氷機が動作を停止し収納にてＯＮして前記自動製氷機が作動するスイッチを設け、前記貯水容器が前記冷蔵室から引き出されて前記スイッチがＯＦＦしてから、再び前記貯水容器が前記冷蔵室へ収納されて前記スイッチがＯＮするまでの時間を制御回路部によってカウントし、このカウントが所定時間以上または所定時間を超えた場合は前記制御回路部によって前記第１回目の（スタート時の）自動給水から行ない、前記カウントが所定時間以内または所定時間を超えない場合は前記制御回路部によって前記自動製氷機が停止した時点の脱氷動作を終了して次回の給水回数から継続して自動給水する制御を行うことを特徴とする第１の発明の自動製氷機を備えた冷凍冷蔵庫である。
【発明の効果】
【０００９】
第１の発明では、製氷皿７Ｂへの給水量が一定化し、所定の大きさの氷を造ることができる。このため、貯水容器９に計量タンク部を備えた複雑な構成とすることもなく、貯水容器９の構成が簡素化し、貯水容器９の洗浄も簡単になる。
【００１０】
第２の発明では、第１の発明の効果に加えて、前記貯水容器が冷蔵室から引き出されてから、再び前記貯水容器が前記冷蔵室へ収納されるまでに時間が長い場合は、前記貯水容器内が規定水量で満杯であるとして、正規の第１回目の（スタート時の）自動給水から開始するため、制御がし易く、各給水モードにおける給水制御もし易くなる。
【００１１】
第２の発明では、第１の発明の効果に加えて、貯水容器９に規定水量の製氷用水が入っていることの検知が確実となり、途中で極短時間引き出された場合との区別ができる。このため、前記貯水容器が冷蔵室から引き出されてから、再び前記貯水容器が前記冷蔵室へ収納されるまでに時間が長い場合は、前記貯水容器内が規定水量で満杯であるとして、正規の第１回目の（スタート時の）自動給水から開始して、第２回目、第３回目、第４回目と順次給水回数に応じて給水時間を長くするように変化させ、各給水モードにおける給水量を略一定化させることにより、製氷皿７Ｂへの給水量が平均化し、所定の大きさの氷を造ることができる。そして、前記貯水容器が冷蔵室から引き出されてから、再び前記貯水容器が前記冷蔵室へ収納されるまでに時間が短い場合は、途中から継続した制御を行って、安定した制御が達成できる。
【発明を実施するための最良の形態】
【００１２】
本発明は、貯水容器から自動製氷機の製氷皿への給水が開閉弁機構の作動によって自然流下式で行われ、冷蔵室へ前記貯水容器が収納されたことをスイッチが検出した状態において、制御回路部の動作によって、第１回目の自動給水が行なわれた後、第２回目の自動給水時間は、第１回目の自動給水によって減少する前記貯水容器内の貯水量の減少量に応じた補正時間Ｔ２を第１回目の自動給水時間（Ｔ時間）に加えた給水時間（Ｔ＋Ｔ２時間）とし、第３回目以降の自動給水時間も同様に、前回の自動給水によって減少する前記貯水容器内の貯水量の減少量に応じた補正時間を加えた給水時間となるように、順次給水回数に応じて給水時間を長くして、各給水モードにおける給水量を略一定化させるように前記製氷皿への給水制御を行うようにしたものである。本発明の実施例を以下に記載する。
【実施例１】
【００１３】
次に、本発明の実施の形態について説明する。図１は本発明に係る冷凍冷蔵庫の正面図、図２は本発明に係る冷凍冷蔵庫本体を正面から見た説明図、図３は本発明に係る冷凍冷蔵庫の縦断側面図、図４は本発明に係る冷凍装置をブロックで示す構成図、図５は本発明に係る給水容器（貯水容器ともいう）と開閉弁装置Ｐとの関係を示す縦断面図、図６は本発明に係る開閉弁装置Ｐの部分の拡大断面図、図７は本発明に係る開閉弁機構Ｐが作動する給水時間関係を示す図である。
【００１４】
次に、本発明の実施の形態について説明する。１は本発明の冷却貯蔵庫の一つである冷凍冷蔵庫であり、前面開口の本体２内を区画して複数の貯蔵室を形成し、これら各貯蔵室の前面は扉で開閉できる構成である。冷凍冷蔵庫本体２は、外箱（外壁板）２Ａと内箱（内壁板）２Ｂとの間に発泡断熱材２Ｃを充填した断熱構造である。冷凍冷蔵庫本体２内には、上部に冷蔵室３、その下方に冷凍室５と製氷室６が横並びに設けられ、その下方に野菜室４が配置された構成である。
【００１５】
冷蔵室３内には冷蔵室３の側壁に形成した棚受けに載置した複数段の棚３Ａが設けられている。冷蔵室３の前面開口は、冷蔵庫本体２の一側部にヒンジ装置にて横方向に回動する回動式の冷蔵室扉１０にて開閉される。野菜室４の前面開口は、野菜室４内に設けた左右のレール１８Ａとローラ１８Ｂによる支持装置１８によって前後方向へ引き出し可能に支持した野菜容器１５と共に前方へ引き出される引き出し式扉１１にて閉塞されている。冷凍室５と製氷室６の前面開口は、それぞれ別個の扉１２Ａ、１２Ｂ（図示せず）で閉じられるように構成し、冷凍室５は野菜室４と同様に、冷凍室５内に設けた左右のレールに対して、前後方向へ引き出し可能に支持した容器を扉１２Ａと共に前方へ引き出される引き出し式とし、また、製氷室６は野菜室４と同様に、製氷室６内に設けた左右のレールに対して、前後方向へ引き出し可能に支持した後述の貯氷容器を扉１２Ｂと共に前方へ引き出される引き出し式とする構成でもよい。
【００１６】
上部に位置する冷蔵室３と、その下部に位置する横並びの冷凍室５並びに製氷室６との間は断熱仕切り壁１７Ａにて区画されており、横並びの冷凍室５並びに製氷室６とその下方の野菜室４との間は断熱仕切り壁１７Ｂにて区画されている。４５は冷蔵庫本体２の背壁の前面側に配設した冷蔵室３の背壁部材であり、合成樹脂製背面板とその裏側に取り付けた発泡スチロール等の断熱材との組み合わせ構成され、冷蔵室３の背面側に上下方向の冷気通路（冷気ダクト）４３と、その左右両側に冷気通路（冷気ダクト）４３Ａ、４３Ｂを形成している。
【００１７】
冷凍室５と製氷室６は区画板４７Ａによって左側に冷凍温度に保たれる前面開口の製氷室６が、そして右側に冷凍温度に保たれる冷凍室５が区画形成され、製氷室６内には上部に自動製氷機７が配置され、その自動製氷機７の下方には上面開口の貯氷容器８が配置されている。貯氷容器８は、製氷室６の左右側壁に設けらレール６Ａに前後方向へ引き出し自在に支持されている。自動製氷機７は電動機構７Ａによって回転駆動される製氷皿７Ｂを備えており、製氷工程によって製氷皿７Ｂ内に作られた氷は、電動機構によって製氷皿７Ｂを捻りつつ反転させ、その中の氷を下方の貯氷容器８へ離脱させるように動作するものである。
【００１８】
９は自動製氷機７へ供給する製氷用水を貯める給水容器（貯水容器ともいう）であり、横幅に比して奥行きが長い矩形状をなし、冷蔵室３内を区画壁４７Ｂで仕切った小室４６に配置されており、冷蔵室３内の温度で冷却され、冷蔵室３の前面扉１０を開くことによって前方へ取り出すことができる。区画壁４７Ｂで仕切った小室４６の隣には、特定低温室１３が併設されている。
【００１９】
製氷用水は、ソレノイド式開閉弁装置Ｐを所定時間開くことにより、断熱仕切り壁１７Ａを貫通する給水路５１を通って、給水容器９から自然落下方式によって自動製氷機７の製氷皿７Ｂへ供給される。製氷皿７Ｂは、長手方向を列方向として４個２列、５個２列、又は６個２列のように複数の製氷小室に区分されて８乃至１２個の角型氷が作られる合成樹脂製である。また、貯氷容器８は、白色、透明、半透明又はその他の色の合成樹脂製であり、奥行きが左右幅に比して長い上面開口の箱状である。
【００２０】
冷凍冷蔵庫本体２の底部には機械室２８が形成され、この機械室２８には、本発明に係る冷凍装置の冷媒を圧縮する電動圧縮機２４、前記冷凍装置の冷媒の放熱器２５の一部である後述の放熱器２５Ａと放熱器２５Ｂと放熱器２５Ｃ、放熱器２５Ｂの熱によって後述の除霜水を蒸発させるための蒸発皿２６、及び送風機（図示せず）等が配置されている。機械室２８内の電動圧縮機２４、放熱器２５Ａ、放熱器２５Ｂを含む蒸発皿２６、及び放熱器２５Ｃは、前記機械室２８内の送風機からの風によって熱交換されて放熱する。２９、３０は冷却庫内を冷却するために設けた冷凍装置の冷媒の蒸発器（冷却器）である。３１は冷凍室用冷却器である第１蒸発器（冷却器）２９で冷却した冷気を冷却庫内、即ち冷凍室５と製氷室６へ循環する第１送風機である。３２は冷蔵室用冷却器である第２蒸発器（冷却器）３０で冷却した冷気を冷却庫内、即ち冷蔵室３、野菜室４及び特定低温室１３へ循環する第２送風機である。３３は第１蒸発器（冷却器）２９の除霜用ガラス管ヒータ、３４は、第２蒸発器（冷却器）３０の除霜用ガラス管ヒータである。第１蒸発器（冷却器）２９及び第２蒸発器（冷却器）３０の除霜水は排水管２３を通って蒸発皿２６へ導かれてそこで蒸発する。
【００２１】
本発明に係る冷凍装置は、冷媒として二酸化炭素冷媒を使用している。圧縮機２４は、この冷媒を一段目の圧縮部２４Ａと二段目の圧縮部２４Ｂによって二段階圧縮するように構成され、密閉容器内において電動機（モータ）によってそれぞれ回転するロータを備えた公知の２シリンダの回転式圧縮機（ロータリ圧縮機という）であり、一段目の圧縮部２４Ａと二段目の圧縮部２４Ｂを構成するが、冷媒を二段階圧縮する他の形態でもよい。
【００２２】
２５Ａ〜２５Ｅまでが冷媒の放熱器２５を構成しており、これらは空冷式であり、放熱器２５Ａは円筒形状をなすように冷媒パイプ（チューブ）が螺旋状に巻回されたループコンデンサと称する初段放熱器である。放熱器２５Ｂは蒸発皿２６内に導かれた除霜水中に没する配置であり、この除霜水を蒸発させるための冷媒パイプ（チューブ）である。放熱器２５Ｃは、略平板状の放熱板の上に蛇行状に配置された冷媒パイプ（チューブ）が取り付けられた形態であり、蒸発皿２６の後方領域で機械室２８内の底部に水平状態に配置されている。放熱器２５Ｄは、冷媒パイプ（チューブ）の周りに放熱フィンとなるアルミニウムの箔板（薄板）が螺旋状に巻回されたものが蛇行状をなすフィンチューブ式のメイン放熱器であり、機械室２８内において前記機械室２８内の送風機からの風によって熱交換されるように、放熱器２５Ｃの上に水平状態に配置している。放熱器２５Ｅは、冷凍冷蔵庫本体２の前面開口の周縁部への露付き防止用であり、外箱（外壁板）２Ａを放熱板とするように、外箱（外壁板）２Ａの発泡断熱材２Ｃ側の面に取り付けた冷媒パイプであり、断熱仕切り壁１７Ａの前面と断熱仕切り壁１７Ｂの前面を加温する冷媒パイプが一連に形成されている。
【００２３】
７０は冷媒の湿気を除去する乾燥剤を封入したデハイドレータある。７１、７２は電動式膨張弁であり、７３、７４はデハイドレータ７０を通過した冷媒の導入パイプであり、７５、７６はそれぞれ冷媒の導入パイプ７３、７４に接続したキャピラリチューブであり、そのキャピラリチューブ７５、７６の途中に、それぞれ電動式膨張弁７１、７２が接続されている。７７は逆止弁であり、７８は消音装置としてのマフラである。図４において矢印は冷媒の流れ方向を示している。
【００２４】
このような冷凍回路において、冷却運転サイクルについて記載する。冷凍室５と冷蔵室３が所定の下限温度まで冷却されていない状態では、圧縮機２4、送風機３１、送風機３２、及び機械室２８内の送風機が運転（ＯＮ）される。圧縮機２４の一段目の圧縮部２４Ａで圧縮された高温高圧の冷媒ガスは、マフラ７８を通って放熱器２５Ａで放熱され、圧縮機２４の二段目の圧縮部２４Ｂへ入ってそこで圧縮される。二段目の圧縮部２４Ｂで圧縮された高温高圧の冷媒ガスは、放熱器２５Ｂにおいて蒸発皿２６内の除霜水を蒸発させる。放熱器２５Ｂを出た冷媒ガスは、放熱器２５Ｃから放熱器２５Ｄにおいて、機械室２８内の送風機からの空気によって冷却されて、冷媒温度が冷凍冷蔵庫１の周囲温度より若干高めの温度まで低下する。この冷媒は更に放熱器２５Ｅへ流入して、冷凍冷蔵庫本体２の前面開口部が加温され、その部分への露付きを防止するように作用する。
【００２５】
放熱器２５Ｅを出た冷媒は、デハイドレータ７０を通って導入パイプ７３、７４に分岐して、それぞれ第１キャピラリチューブ７５と電動式膨張弁７１の回路と、第２キャピラリチューブ７６と電動式膨張弁７２の回路を通って、減圧されて温度が低下し、それぞれ冷凍室用蒸発器（冷却器）２９と冷蔵室用蒸発器（冷却器）３０へ流入する。第１蒸発器（冷却器）２９と第２蒸発器（冷却器）３０へ流入した液冷媒は、そこで蒸発して周囲の空気を冷却する。第１蒸発器（冷却器）２９で蒸発したガス冷媒は、出口パイプ７９から逆止弁７７を通って圧縮機２４の一段目の圧縮部２４Ａの吸い込み側へ流入して圧縮される。また、第２蒸発器（冷却器）３０で蒸発したガス冷媒は、出口パイプ８０から逆止弁７７を通って圧縮機２４の一段目の圧縮部２４Ａの吸い込み側へ流入して圧縮される。このような冷凍サイクルによって第１蒸発器（冷却器）２９と第２蒸発器（冷却器）３０が冷却され、それによって後述のように冷凍冷蔵庫本体２内の各室が冷却される。
【００２６】
上記の冷凍装置において、電動式膨張弁７１は、制御回路装置（図示せず）からの制御信号によって正転と逆転の動作をするステッピングモータによって、駆動弁が動作してその弁開度が調節されるものであり、蒸発器（冷却器）２９の出口温度又は冷凍室５の温度に応じて前記制御回路装置に設定したデータに基づき、前記ステッピングモータが正転又は逆転して駆動弁が動作してその弁開度が調節され、適正な冷媒膨張が行われるように制御される。これによって、冷凍室５と製氷室６が所定の温度に維持される。また、電動式膨張弁７２は、前記制御回路装置（図示せず）からの制御信号によって正転と逆転の動作をするステッピングモータによって、駆動弁が動作してその弁開度が調節されるものであり、蒸発器（冷却器）３０の出口温度又は冷蔵室３の温度に応じて制御回路装置（図示せず）に設定したデータに基づき、前記ステッピングモータが正転又は逆転して駆動弁が動作してその弁開度が調節され、適正な冷媒膨張が行われるように制御される。これによって、冷蔵室３、野菜室４、特定低温室１３及び小室４６が所定の温度に維持される。
【００２７】
上記のような運転によって、圧縮機２４が運転（ＯＮ）している状況において、冷蔵室３又は第２蒸発器（冷却器）３０が所定の下限設定温度に低下すると、前記制御回路装置によって電動式膨張弁７２は閉じて、第２蒸発器（冷却器）３０への冷媒流入を遮断し、第２送風機３２が停止（ＯＦＦ）する。そして、冷蔵室３又は第２蒸発器（冷却器）３０が所定の上限設定温度に上昇すると、前記制御回路装置によって電動式膨張弁７２は開いて、第２蒸発器（冷却器）３０へ冷媒が流入し、第２送風機３２が運転（ＯＮ）して、冷蔵室３の冷却促進が行われる。このようにして、冷蔵室３、野菜室4、特定低温室１３が所定温度に維持される。
【００２８】
圧縮機２４と第１送風機３１は、第１蒸発器（冷却器）２９の出口温度又は冷凍室５の温度に応じて制御され、第１蒸発器（冷却器）２９の温度又は冷凍室５の温度が所定の下限設定温度に低下すると、前記制御回路装置によって停止（ＯＦＦ）する。これと共に第２送風機３２が停止（ＯＦＦ）する。第１蒸発器（冷却器）２９の温度又は冷凍室５の温度が所定の上限設定温度に上昇すると、前記制御回路装置によって圧縮機２４、第１送風機３１、第２送風機３２が運転（ＯＮ）して、冷凍冷蔵庫１内の各室の冷却促進が行われる。このようにして、冷凍室５、製氷室６が所定温度に維持される。
【００２９】
次に、冷気の循環について説明する。３５は第２蒸発器（冷却器）３０で冷却された冷気が第２送風機３２から導かれる冷気ダクトであり、冷蔵室３の上壁に沿って幅広く配置され、その前端は冷蔵室３の前面開口部の上面に形成した冷気吹き出し口３６へ連通している。この冷気吹き出し口３６から吹き出す冷気は、冷蔵室３の前面開口部を矢印のように上から下へ流れる冷気カーテン３７を形成する。
【００３０】
第２蒸発器（冷却器）３０で冷却した冷気を第２送風機３２によって冷蔵室３と野菜室４とに循環させる冷気循環経路の形成に関し、冷蔵室３の背面部には、冷気通路（冷気ダクト）４３が形成され、この左右両側に冷気通路（冷気ダクト）４３Ａ、４３Ｂが形成され、冷気供給通路（冷気ダクト）４３には第２蒸発器（冷却器）３０が収納されて冷却器室を構成している。また、第２蒸発器（冷却器）３０から上方へ延びて電動式膨張弁７２が冷気供給通路（冷気ダクト）４３の背面の窪みにゴム製カバー９０で覆われた状態でネジにて取り付けられている。
【００３１】
第２蒸発器（冷却器）３０で冷却した冷気は、第２送風機３２によって冷蔵室３とその一部分である特定低温室１３とに循環される。その経路は、第２送風機３２を通過した冷気は、一部が冷気ダクト３５を通って冷気吹き出し口３６から吹き出す。第２送風機３２を通過した冷気の他の部分は、冷蔵室３の背壁４５の裏側の左右の冷気通路４３Ａ、４３Ｂを通って、冷蔵室３の背壁４５に形成した冷気吹き出し口３９から冷蔵室３へ吹き出し、冷気通路４３Ｂを更に下方へ流れた冷気が冷気吹き出し口３９Ａから特定低温室１３へ吹き出す。冷蔵室３と特定低温室１３へ流入した冷気は、冷蔵室３の下部の吸い込み口５０、即ち小室４６と特定低温室１３の背壁に形成した吸い込み口５０から吸込まれ、冷気通路（冷気ダクト）４３の第２蒸発器（冷却器）３０の下部の冷気吸い込み側に流入し、再び第２蒸発器（冷却器）３０で冷却される循環をする。
【００３２】
一方、冷蔵室３へ流入した冷気に一部は、野菜室４へ循環する構成である。図では、特定低温室１３へ流入した冷気の一部が、特定低温室１３の背壁に形成した吸い込み口４０から吸込まれ、冷凍冷蔵庫本体２の背壁に形成した冷気通路（冷気ダクト）４１Ａを通って吹き出し口４２Ａから野菜室４へ流出する。野菜室４へ流入した冷気は、野菜室４を流れて野菜室４の天井壁に近接した背壁に形成した冷気吸い込み口４２Ｂから冷気帰還通路（冷気帰還ダクト）４１Ｂを通って、冷気通路（冷気ダクト）４３の第２蒸発器（冷却器）３０の下部の冷気吸い込み側に流入し、再び第２蒸発器（冷却器）３０で冷却される循環をする。
【００３３】
第１蒸発器（冷却器）２９で冷却した冷気を第１送風機３１によって冷凍室５へ循環させる冷気循環経路の形成に関し、冷凍室５の背面部には、冷気通路（冷気ダクト）４８が形成され、この冷気供給通路（冷気ダクト）４８には第１蒸発器（冷却器）２９が収納されて冷却器室を構成している。また、第１蒸発器（冷却器）２９から上方へ延びて電動式膨張弁７１が冷気供給通路（冷気ダクト）４８の背面の窪みにゴム製カバー９１で覆われた状態でネジにて取り付けられている。
【００３４】
第１蒸発器（冷却器）２９で冷却した冷気は、第１送風機３１によって冷気吹き出し口３７Ａから冷凍室５へ供給され、冷気吹き出し口３７Ｂから製氷室６へ供給され、それぞれ吸い込み口３８から吸込まれて、第１蒸発器（冷却器）２９の下部の冷気吸い込み側に流入し、再び第１蒸発器（冷却器）２９で冷却される循環をする。
【００３５】
圧縮機２４の運転時間の積算値が所定値に達すると除霜モードに入り、圧縮機２４、第１送風機３１、第２送風機３２、機械室２８内の送風機が停止（ＯＦＦ）し、除霜用ガラス管ヒータ３３と３４に通電されて発熱し、それぞれ対応する第１蒸発器（冷却器）２９と第２蒸発器（冷却器）３０は加温されて、その霜が融解される。除霜の終了は、第１蒸発器（冷却器）２９と第２蒸発器（冷却器）３０に設けた除霜終了センサが、共に上昇した除霜終了温度（例えば８℃）を感知したときに、除霜用ガラス管ヒータ３３と３４への通電を停止（ＯＦＦ）したときである。除霜の終了時に冷蔵室３と冷凍室５の温度が所定の上限設定温度以上に上昇している場合には、圧縮機２４、第１送風機３１、第２送風機３２、送風機８１が運転（ＯＮ）し、冷凍冷蔵庫１内の各室の冷却促進が行われる。
【００３６】
このような構成において、各室の温度は、冷蔵室３が約３〜４℃、野菜室４が約３〜６℃に保たれ、冷凍室５製氷室７が約−１８℃〜−２０℃である。また、冷蔵室扉１０の内側に設けた貯蔵棚上は５〜８℃である。特定低温室１３は、０℃よりも高い約１℃のチルド室であったり、０℃よりも低く食品の凍結温度よりも高い約０〜−１℃の氷温室であったり、また、食品の表面に薄い氷の層が形成される程度の約−４℃の部分凍結室であったりする。このように特定低温室１３は、食品を特定の温度領域内で冷却保存するためのものであり、他の室に比して厳しい温度制御が要求される。
【００３７】
製氷用水は、後述のように、開閉弁機構Ｐの作動によって、貯水容器９から自然落下方式によって断熱仕切り壁１７Ａを貫通した給水管５１を通って自動製氷機７の製氷皿７Ｂへ供給される。貯水容器９は、横幅に比して奥行きが長い矩形状の上面開口を形成したタンク本体９Ａに、タンク本体９Ａの上面開口を塞ぐように、タンク本体９Ａの前後左右の壁に取り外し自在にカバー９Ｄが取り付けられている。注水口９Ｋはカバー９Ｄの一部である開閉自在な蓋９Ｍによって閉じられた状態である。貯水容器９内への注水は、給水容器９を冷蔵庫１から引き出し、蓋９Ｍを開いて行えるが、カバー９Ｄを外して行うこともできる。貯水容器９は内部の製氷用水の水位確認をし易いように、タンク本体９Ａを透明又は半透明に構成している。
【００３８】
断熱仕切り壁１７Ａは、合成樹脂製上板１７Ａ１と合成樹脂製下板１７Ａ２との間に、合成樹脂製の発泡断熱材１７Ａ３が介在した構成である。貯水容器９は、その中に水を入れ、カバー９Ｄをタンク本体９Ａに取り付けた状態において、断熱仕切り壁１７Ａ上をスライドさせて小室４６内に挿入することによって、所定位置に保持される。この保持機構として、断熱仕切り壁１７Ａの合成樹脂製上板１７Ａ１から上方へ若干突出した弾性部材８１が貯水容器９の底部の前部に係止する構成である。貯水容器９は、前方へ引くことによって弾性部材８１を下方へ押しつつ小室４６から取り出すことができる。貯水容器９が弾性部材８１に係止されて所定位置に保持されたとき、冷蔵室３の背壁４５の内側に設けた貯水容器検知用スイッチ８２がＯＮするようになり、このスイッチ８２のＯＮに基づき制御回路部によって後述の製氷サイクルが始動可能となる。
【００３９】
貯水容器９は、その底部に給水口６０を形成しており、後述のソレノイド６６の通電・非通電によって上下動して給水口６０を開閉する開閉弁６１を備えた開閉弁機構Ｐを備えている。開閉弁６１は給水口６０周辺との間の密着性を向上させるために、環状パッキンを備えている。断熱仕切り壁１７Ａの合成樹脂製上板１７Ａ１には、貯水容器９が冷凍冷蔵庫１内の冷蔵室３の所定位置へ収納されたとき、給水口６０と対応する位置に、給水管５１へ製氷用水を導く製氷用水の受け部６５が漏斗状に広がった形状に形成されている。この受け部６５と給水管５１は、断熱仕切り壁１７Ａの上板１７Ａ１と一体形成でもよいが、受け部６５を断熱仕切り壁１７Ａの上板１７Ａ１と一体形成し、この受け部６５の下端開口に合成樹脂製の給水管５１を連通状態に取り付けた構成でもよい。給水管５１の下端は、断熱仕切り壁１７Ａの合成樹脂製下板１７Ａ２よりも若干下方へ突出した状態で、製氷皿７Ｂの製氷小室に臨む位置に開口している。
【００４０】
開閉弁６１は、貯水容器９のタンク本体９Ａの底壁に円形状に等間隔配置された２〜４個の保持部６８内に、上下動自在に配置されている。開閉弁６１の自己の重量が十分あれば、その重量によって給水口６０を良好に閉止できるが、開閉弁６１による給水口６０の閉止を正確にするために、開閉弁６１を下方に押し圧して給水口６０を閉止するためのバネ６７を設けている。コイルバネ６７は、保持部６８の上部辺と開閉弁６１との間に介在されて、開閉弁６１を常時下方へ押し圧して給水口６０を閉じるように付勢されている。
【００４１】
開閉弁６１は、給水管５１内に上下移動可能に収納された永久磁石６３付き作動部材８５によって開閉作動される。永久磁石６３は、上下に離間配置された一対の永久磁石６３Ａ、６３Ｂが相互に反発し合う向きに構成され、その一例として、それぞれ永久磁石６３Ａ、６３ＢのＳ極が向き合う状態で、合成樹脂製の作動部材８５内に配置されている。
【００４２】
作動部材８５の周囲には永久磁石６３Ａ、６３Ｂに対応するように、開閉弁機構Ｐのソレノイド６６が設けられている。ソレノイド６６は、断熱仕切り壁１７Ａの発泡断熱材１７Ａ３中においてホルダー６９に保持されて、給水管５１を取り囲むように取り付けられている。ソレノイド６６への通電制御は、冷蔵庫１に設けた制御回路部によって制御される自動製氷機７への製氷用水の供給制御と関連して行われる。
【００４３】
作動部材８５は、横断面が円形状の給水管５１の内径よりも横断面が円形状の外形をなす小径の本体部８５Ｂと、この本体部８５Ｂの上部に形成された横断面が円形状の大径の上部８５Ａとから構成され、上部８５Ａは給水管５１の上端部に係止される外形をなし、本体部８５Ｂは下方に向かって徐々に外形が小さくなる形状をなすと共に、外面に縦方向のリブ８５Ｃが複数形成されている。このため、後述のように、作動部材８５が上昇して開閉弁６１を押し上げて開いたとき、作動部材８５の周囲と給水管５１との間には、このリブ８５Ｃ相互間に縦方向に製氷用水の流下通路が形成される。
【００４４】
ソレノイド６６が非通電の状態では、開閉弁６１が降下して給水口６０を閉じた状態である。この状態において、ソレノイド６６への通電によってソレノイド６６にはＳ極が上にＮ極が下に形成され、作動部材８５の永久磁石６３Ａ、６３Ｂとの相互作用によって作動部材８５の駆動力アップが得られ、作動部材８５が上昇駆動されることによって、作動部材８５によって開閉弁６１が上方へ押されてバネ６７を圧縮しつつ開閉弁６１が給水口６０を開く。ソレノイド６６と永久磁石６３Ａ、６３Ｂの関係は、開閉弁６１が給水口６０を開くように作動部材８５を上昇駆動する吸引作用を行うと共に、ソレノイド６６による磁力と作動部材８５の永久磁石６３Ａ、６３Ｂの相互作用によって、作動部材８５の上方への飛び出しを防止するように抑制作用を行う関係である。
【００４５】
自動製氷機７の製氷運転は、冷蔵庫１に設けた制御回路部によって制御される製氷工程と脱氷工程から構成される。製氷用水を入れた貯水容器９が、冷蔵室３内の所定位置に保持されスイッチ８２がＯＮ状態となれば、前記制御回路部によって製氷可能状態と判断する。このため、一つの方式として、このようにスイッチ８２がＯＮすることによって、前記制御回路部は、先ず脱氷工程を開始し、電動機構７Ａが始動して製氷皿７Ｂを反転して捻った後、製氷皿７Ｂを元の水平状態に復帰させる。この状態において、手動操作にて製氷始動スイッチをＯＮすると、前記制御回路部によって自動給水モードに入り、それによって、ソレノイド６６へ所定時間通電され、作動部材８５が上昇して開閉弁６１が給水口６０を開き、製氷用水が自然流下にて製氷皿７Ｂへ自動給水される。この給水量は、ソレノイド６６への通電時間によって定まる。
【００４６】
また他の方式として、製氷用水を入れた貯水容器９が、冷蔵室３内の所定位置に保持されスイッチ８２がＯＮ状態となれば、前記制御回路部によって製氷可能状態と判断する。そして、このスイッチ８２がＯＮ状態において、手動操作にて製氷始動スイッチをＯＮすると、前記制御回路部は、先ず脱氷工程を開始して電動機構７Ａが始動して製氷皿７Ｂを反転して捻った後、製氷皿７Ｂを水平状態に復帰させる。そして、前記制御回路部によって自動給水モードに入り、それによって、ソレノイド６６へ所定時間通電され、作動部材８５が上昇して開閉弁６１が給水口６０を開き、製氷用水が自然流下にて製氷皿７Ｂへ自動給水される。この給水量は、ソレノイド６６への通電時間によって定まる。
【００４７】
上記のいずれの方式においても、このような自動給水の後に、即ち自動給水モードの終了によって、前記制御回路部によって製氷モードに入る。そして、前記制御回路部のタイマ手段によって一定時間経過したとき、又は氷の形成を製氷皿センサが製氷皿７Ｂの低下した温度を検知したとき、前記制御回路部によって脱氷工程が開始し、電動機構７Ａが始動して製氷皿７Ｂを反転して捻り、製氷皿７Ｂ内の氷を下方の貯氷容器８へ落下せしめた後、製氷皿７Ｂを元の水平状態に復帰させ、再び次の製氷工程における自動給水モードに入り、ソレノイド６６へ所定時間通電して、上記同様に作動部材８５が上昇して開閉弁６１が給水口６０を開き、製氷用水が自然落下にて製氷皿７Ｂへ自動給水される。このようにして、製氷工程と脱氷工程が行われて、多数の氷が貯氷容器８へ貯えられる。
【００４８】
一つの具体例として、貯水容器９の正規の満杯貯水量は８５０立方ｃｍであり、一回の製氷に要する製氷用水の規定水量は８０立方ｃｍである。この場合、製氷工程の１回ごとに製氷皿７Ｂへ自動給水される量が、規定水量の８０立方ｃｍであれば、常に正規の大きさの氷を造ることができる。しかし、製氷工程ごとの自動給水によって、貯水容器９の水位が低下し、給水口６０から流下する単位時間当たりの流量が、貯水容器９の水位の低下に伴って低下し、ソレノイド６６への通電時間が常に一定であれば、１回の自動給水量が少なくなり、製氷皿７Ｂで造られる氷は次第に小さい氷となる。
【００４９】
本発明は、このような点を改良するために、製氷工程の進行に伴って製氷皿７Ｂへの自動給水時間を次第に長くして、１回の給水量の減少を補正するようにする。第１回目の製氷工程の開始によって自動給水モードとなって、ソレノイド６６へ初期時間（Ｔ時間）通電されて製氷皿７Ｂへの第１回目の（スタート時の）自動給水が始まる。
【００５０】
そして、上記同様の動作によって、第１回目の製氷工程を経て脱氷工程が終了し、第２回目の製氷工程に移行し、自動給水モードとなり始動給水が始まる。第１回目の自動給水によって、貯水容器９の貯水量が減少するため、初期時間（Ｔ時間）に、この減少量（上記では８０立方ｃｍ）に応じた補正時間（Ｔ２時間）を加えた時間（Ｔ+Ｔ２時間）が、第２回目の製氷工程に対する自動給水時間である。このようにして第２回目の自動給水が始まり、ソレノイド６６はＴ+Ｔ２時間の通電によって、製氷皿７Ｂへの自動給水が行われる。
【００５１】
同様にして、第２回目の製氷工程を経て脱氷工程が終了し、第３回目の製氷工程に移行し、自動給水が始まる。第２回目の自動給水によって、貯水容器９の貯水量が減少するため、初期時間（Ｔ時間）に、この減少量（上記では１６０立方ｃｍ）に応じた補正時間（Ｔ３時間）を加えた時間（Ｔ+Ｔ３時間）が、第３回目の製氷工程に対する自動給水時間である。このようにして第３回目の自動給水が始まり、ソレノイド６６はＴ+Ｔ３時間の通電によって、製氷皿７Ｂへの自動給水が行われる。以下同様にして、第４回目の製氷工程に対する自動給水時間は、第３回目の自動給水によって減少した減少量に応じた補正時間（Ｔ４時間）を加えた時間（Ｔ+Ｔ４時間）によって、ソレノイド６６が通電され、製氷皿７Ｂへの自動給水が行われる。以下同様にして、第５回目、第６回目と順次減少量に応じた補正時間を加えた時間によって、ソレノイド６６が通電され、製氷皿７Ｂへの自動給水が行われる。
【００５２】
上記の各補正時間Ｔ２、Ｔ３、Ｔ４、Ｔ５等は、適用され製氷皿７Ｂ、貯水容器９及び開閉弁機構Ｐ等によって、予め行われたテストによって、毎回の自動給水によって貯水容器９の水位が減少しても、毎回の自動給水量が略一定するように設定された補正時間である。この補正時間は、初期時間（Ｔ時間）と共に前記制御回路部のメモリに設定されて、マイクロコンピュータによるプログラム制御方式によって、自動製氷機７の製氷運転と関連して行われる。
【００５３】
なお、上記具体例では、貯水容器９の正規の満杯貯水量が８５０立方ｃｍであり、一回ごとの自動給水量は８０立方ｃｍであるため、自動製氷機７の実質的な連続稼動によって１０回の製氷工程における自動給水が行われて、それに伴う製氷モードと脱氷工程を終わった段階で、前記制御回路部によって、１１回目の自動給水は行わず、自動製氷機７の稼動を停止し、ＬＥＤ等の表示によって貯水容器９が空であることを報知するようにすればよい。
【００５４】
冷凍冷蔵庫の使用中に、貯水容器９内の貯水量の確認やその他のために、貯水容器９が冷蔵室３から引き出されると、スイッチ８２がＯＦＦする。この場合、前記制御回路部はスイッチ８２がＯＦＦしたことを検出する。スイッチ８２のＯＦＦによって、自動製氷機７は、そのときの動作を停止する。貯水容器９内の貯水量の確認の場合は、貯水容器９が冷蔵室３から引き出され、再び貯水容器９が冷蔵室３へ収納されて、スイッチ８２がＯＮするまでには、あまり多くの時間はかからない筈である。しかし、貯水容器９へ製氷用水を補充する場合や、貯水容器９を洗浄した後、製氷用水を満杯にして収納する等の場合は、かなり多くの時間を要する。このため、本発明では、貯水容器９が冷蔵室３から引き出されてスイッチ８２がＯＦＦしてから、再び貯水容器９が冷蔵室３へ収納されてスイッチ８２がＯＮするまでの時間を前記制御回路部によってカウントし、このカウントが所定時間以上または所定時間を超えたか否かによって、第１回目の（スタート時の）自動給水から行うか、継続した自動給水とするかの制御を行うようにしている。
【００５５】
先ず、貯水容器９が冷蔵室３から引き出されて、再び貯水容器９が冷蔵室３へ収納されるまでの時間が、所定時間（例えば、１０秒）以上またはこの所定時間を超える場合について説明する。例えば、第３回目の自動給水が行われた後、第４回目の自動給水が行われる前に、貯水容器９が冷蔵室３から引き出されて、再び貯水容器９が冷蔵室３へ収納されるまでの時間が、所定時間（例えば、１０秒）以上またはこの所定時間を超えた場合、前記制御回路部は、貯水容器９に満杯の規定水量が入った状態で収納されたと判断して、自動給水時間制御をリセットして、このあと行われる自動給水モードでは、第１回目の（スタート時の）自動給水から行うように制御する。即ち、貯水容器９が冷蔵室３から引き出されてスイッチ８２がＯＦＦし、自動製氷機７の動作を停止する。そして、所定時間（例えば、１０秒）以上又はこの所定時間を超えた後に、再び貯水容器９が冷蔵室３へ収納されてスイッチ８２がＯＮすることによって、前記制御回路部によって、上記同様にスイッチ８２のＯＮによって自動的に脱氷工程を行って待機し、その間に製氷始動スイッチをＯＮすることによって製氷工程に移る方式か、又は、スイッチ８２のＯＮ状態において待機し製氷始動スイッチをＯＮすることによって、脱氷工程を行った後に製氷工程に移る方式か、いずれかの方式によって製氷工程が開始する。
【００５６】
このようにして製氷工程が開始すると、前記制御回路部によって自動給水モードに入り、それによって、ソレノイド６６へ所定時間通電され、作動部材８５が上昇して開閉弁６１が給水口６０を開き、製氷用水が自然流下にて製氷皿７Ｂへ自動給水される。この場合は、第１回目の（スタート時の）自動給水から行うため、この場合の自動給水時間は、初期時間（Ｔ時間）である。そして、上記同様の動作によって、第１回目の製氷工程を経て脱氷工程が終了し、第２回目の製氷工程に移行し、自動給水モードとなり始動給水が始まる。第１回目の自動給水によって、貯水容器９の貯水量が減少するため、初期時間（Ｔ時間）に、この減少量（上記では８０立方ｃｍ）に応じた補正時間（Ｔ２時間）を加えた時間（Ｔ+Ｔ２時間）が、第２回目の製氷工程に対する自動給水時間である。このようにして第２回目の自動給水が始まり、ソレノイド６６はＴ+Ｔ２時間の通電によって、製氷皿７Ｂへの自動給水が行われる。以後、上記同様にして、第３回目、第４回目と順次補正された時間によって給水される。
【００５７】
次に、貯水容器９が冷蔵室３から引き出されて、再び貯水容器９が冷蔵室３へ収納されるまでの時間が、所定時間（例えば、１０秒）以内またはこの所定時間を超えない場合について説明する。上記において、第３回目の自動給水が行われた後、第４回目の自動給水が行われる前に、貯水容器９が冷蔵室３から引き出されてスイッチ８２がＯＦＦし、自動製氷機７の動作を停止する。そして、再び貯水容器９が冷蔵室３へ収納されるまでの時間が、所定時間（例えば、１０秒）以内またはこの所定時間を超えない場合、貯水容器９の収納によってスイッチ８２がＯＮしたとき、前記制御回路部は、自動給水時間制御をリセットせず、停止した状態から継続して自動製氷機７を作動させ、第３回目の製氷工程と脱氷工程を終了して、第４回目の製氷工程では上記のように補正されたＴ＋Ｔ４の給水時間によって、第４回目の自動給水を行う。即ち、この場合は、貯水容器９が冷蔵室３から引き出され、再び貯水容器９が冷蔵室３へ収納されてスイッチ８２がＯＮしたとき、中断した状態に引き続いた動作が始まり、第４回、第５回と順次上記同様にして、補正時間を加えた時間によって給水される動作となる。
【００５８】
本発明は、上記のように、貯水容器９から自動製氷機７の製氷皿７Ｂへの給水が開閉弁機構Ｐの作動によって自然流下式で行われ、冷蔵室３へ貯水容器９が収納されたことをスイッチ８２が検出した状態において、制御回路部の動作によって、給水モードにおける製氷皿７Ｂへの給水制御が、各給水モードにおける給水量を略一定化（平準化、平均化）させるように、順次給水回数に応じて給水時間が長くなるようにしたものである。このため、貯水容器９から自動製氷機７の製氷皿７Ｂへの給水を自然流下式とする場合、貯水容器９が冷蔵室３へ収納されたことをスイッチ８２で検出し、制御回路部によって、第１回目の（スタート時の）自動給水から開始して、第２回目、第３回目、第４回目と順次給水回数に応じて給水時間を長くするように変化させ、各給水モードにおける給水量を略一定化（平準化、平均化）できる。これによって、製氷皿７Ｂへの給水量が平均化し、所定の大きさの氷を造ることができる。このため、貯水容器９に計量タンク部を備えた複雑な構成とすることもなく、貯水容器９の構成が簡素化し、貯水容器９の洗浄も簡単になる。
【００５９】
また本発明は、貯水容器９が冷蔵室３から引き出されてスイッチ８２がＯＦＦしてから、再び貯水容器９が冷蔵室３へ収納されてスイッチ８２がＯＮするまでの時間を制御回路部によってカウントし、このカウントが所定時間以上または所定時間を超えた場合は、貯水容器９内が規定水量で満杯の貯水容器９が収納されたと判断する。これによって、貯水容器９に規定水量の製氷用水が入っていることの検知が確実となり、貯水容器９が冷蔵室３へ収納されてスイッチ８２がＯＮしたときから所定時間経過後は、第１回目の（スタート時の）自動給水から開始して、第２回目、第３回目、第４回目と順次給水回数に応じて給水時間を長くするように変化させ、各給水モードにおける給水量を略一定化させることにより、製氷皿７Ｂへの給水量が平均化し、所定の大きさの氷を造ることができる。このため、貯水容器９に計量タンク部を備えた複雑な構成とすることもなく、貯水容器９の構成が簡素化し、貯水容器９の洗浄も簡単になる。
【００６０】
また本発明では、貯水容器９が冷蔵室３から引き出されてスイッチ８２がＯＦＦしてから、再び貯水容器９が冷蔵室３へ収納されてスイッチ８２がＯＮするまでの時間を前記制御回路部によってカウントし、このカウントが所定時間以上か否かまたは所定時間を超えたか否かによって、第１回目の（スタート時の）自動給水から行うか、中断した状態に継続した自動給水とするかの制御を行うようにしている。これによって、貯水容器９に規定水量の製氷用水が入っていることの検知が確実となり、途中で極短時間引き出された場合との区別ができ、誤検知が防止できる。また、貯水容器９が冷蔵室３へ収納されてスイッチ８２がＯＮしたときから所定時間経過後は、第１回目の（スタート時の）自動給水から開始して、第２回目、第３回目、第４回目と順次給水回数に応じて給水時間を長くするように変化させ、各給水モードにおける給水量を略一定化させることにより、製氷皿７Ｂへの給水量が平均化し、所定の大きさの氷を造ることができる。このため、貯水容器９に計量タンク部を備えた複雑な構成とすることもなく、貯水容器９の構成が簡素化し、貯水容器９の洗浄も簡単になる。
【産業上の利用可能性】
【００６１】
本発明は、自動製氷機付き冷蔵庫であるが、冷蔵室、冷凍室の配置関係等は上記形態に限定されず、本発明の技術的範囲を逸脱しない限り種々の形態の冷蔵庫に適用できるものである。
【図面の簡単な説明】
【００６２】
【図１】本発明冷蔵庫の正面図である。（実施例１）
【図２】本発明の冷蔵庫本体を正面から見た説明図である。（実施例１）
【図３】本発明冷蔵庫の縦断側面図である。（実施例１）
【図４】本発明に係る冷凍装置をブロックで示す構成図である。（実施例１）
【図５】本発明に係る給水容器（貯水容器ともいう）と開閉弁装置Ｐとの関係を示す縦断面図である。（実施例１）
【図６】本発明に係る開閉弁装置Ｐの部分の拡大断面図である。（実施例１）
【図７】本発明に係る開閉弁機構Ｐが作動する給水時間関係を示す図である。（実施例１）
【符号の説明】
【００６３】
１・・・冷蔵庫
２・・・冷蔵庫本体
３・・・冷蔵室
４・・・野菜室
５・・・冷凍室
６・・・製氷室
７・・・自動製氷機
７Ｂ・・製氷皿
８・・・貯氷容器
９・・・貯水容器
９Ａ・・タンク本体
９Ｄ・・カバー
１７Ａ・・冷蔵室と冷凍室の断熱仕切り壁
１７Ａ１・・断熱仕切り壁の上板
１７Ａ２・・断熱仕切り壁の下板
１７Ａ３・・断熱材
２４・・圧縮機
２９、３０・・蒸発器（冷却器）
３１、３２・・送風機
５１・・・給水管
６０・・給水口
６１・・開閉弁
６６・・ソレノイド
６３Ａ、６３Ｂ・・磁石
８２・・貯水容器検知用スイッチ
８５・・作動部材
【図１】
0004663425.tif 000002
【図２】
0004663425.tif 000003
【図３】
0004663425.tif 000004
【図４】
0004663425.tif 000005
【図５】
0004663425.tif 000006
【図６】
0004663425.tif 000007
【図７】
0004663425.tif 000008